(57)【要約】【課題】    薄帯材料に複数個のテープを貼付けする際に、短時間で同時に薄帯材料にストレスを及ぼすことなく行える貼付け方法及び機構を開発することで、生産コスト削減とテープ貼付け装置の小スペース化を行い、低価格に製作することを目的とする。【解決手段】  複数個のテープ供給を一つの機構内に設置し、短冊状にテープをカットし準備することにより、テープの貼付け位置が変更し易く、任意の場所にテープを貼り付けることができ、薄帯材料にストレスを及ぼすことなく、低価格で製作可能な構造にした。【選択図】図９
2007165268.tif 000002
【特許請求の範囲】
【請求項１】
電極板送り機構で材料を一定量送り、停止後テープ貼り付け機構で貼り付けを行うことから成る薄帯材料に関して補強用テープ及び保護用テープ等を複数個同時に貼り付ける方法。
【請求項２】
請求項１の方法において、薄帯材料にストレスをかけることなく、補強用テープ及び保護用テープ等を貼り付けられることを特徴とする貼り付け方法。
【請求項３】
請求項１の方法において、補強用テープ及び保護用テープ等を貼り付ける時に、貼付け位置を任意に変更できることを特徴とする貼付け方法。
【発明の詳細な説明】
【技術分野】
【０００１】  本発明は薄帯材料に補強用テープ又は保護用テープ等を貼り付ける方法及び装置に関する。
【背景技術】
【０００２】  例えば、リチュウム電池等の二次電池は、金属集電体に一定の間隔で正極活物質が設けられた塗布部を有する正極集電体と、金属集電体に一定の間隔で負極活物質が設けられた塗布部を有する負極集電体とを備え、この正、負極集電体（電池素子材料）とがセパレーター等絶縁体を介して捲回されたものを電池素子とし、ケース内に収容して構成されている。【０００３】  このような構成の二次電池素子を得る捲回装置では、それぞれロール状に巻き上げられた正、負電池素子材料（原反）及びセパレーター等絶縁体を捲回部まで間欠的かつ断続的に送り出し、捲回部巻心によって捲回し、正、負極電池素子材料及びセパレーター等絶縁体を所定の長さに切断して電池素子としている。切断された正、負極電池素子材料には切断バリが発生しており、捲回された電池素子は各々の材料が密着しているために、切断バリによってセパレーター等絶縁体を突き破り、短絡する可能性がある。そのために、短絡防止用テープを危険な箇所に対して数箇所貼り付ける必要性があった。【０００４】  そこで、従来テープを貼り付けるために、数個のテープは独立した場所で、正、負極電池素子材料を位置決めし（走行ラインにてピッチ合わせを行う）、貼り付けを行う方法が用いられていた。従来の技術の形態を具体的に図面により説明する。図１に示すように、テープ張り機構は数箇所のセクションで各々の指定箇所に貼り付けを行うためにテープ貼付け機構１、貼付け位置補正移動ローラー機構２が存在している。電極板送り機構３で材料を一定量送り、送り停止後貼付け位置補正移動ローラー機構２が動作し、貼付け位置を決定しテープ貼付け機構１で貼付けを行う。そのために、テープ貼付け機構１、電極板送り機構３は貼付け位置の数だけ必要になっている。テープ貼付け機構は図２に示すように、テープ送り出し軸（フープ材）５とテープ４、テープ貼付け部位１２から構成される。図３に示すように、テープはテープ送り部８より先端が少し出た状態でテープ保持クランパー７で抜けないようにクランプされている。電極板送り機構３で材料を一定量送り、送り停止後貼付け位置補正移動ローラー機構２が動作し、貼付け位置を決定した後、図４に示すように、テープクランパー１０が閉じ、テープの先端を電極板１１に貼付け、テープを保持する。同時にテープ貼付けローラー９が動作し閉じる。次に、図５に示すようにテープ保持クランパー７が開し、テープ送り部８とテープ貼付けローラー９、テープカッター６が移動し、テープを電極板に一定量貼付けを行う。次に、図６に示すように、テープクランパー７が閉じ、テープカッター６がテープをカットする。その後図７に示すように、テープ送り部８とテープ貼付けローラー９、テープカッター６が移動し、テープを電極板に全面貼付けを行い、定位置に戻り貼付け作業は終了となる。この方法では、テープを電極板に一定量貼付ける時に引っ張り方向のストレスで電極板に皺が入る恐れが大きい。
【発明の開示】
【発明が解決しようとする課題】
【０００５】  しかしながら、上述した従来のテープ貼付け方法では、数個のセクションで機構を有するためにコストが数個分毎にかかってしまい、更に数個分毎のスペースを必要とするために、巻取り装置全体のコストが高くなり、また巻取り装置全体が大きくなってしまう問題があった。【０００６】  本発明は、これらの問題を解決するためのものであり、一つのセクションで数個同時に貼り付けを行うことにより、機構の簡素化、コンパクト化を図ることにより、巻取り装置全体のコンパクト化、低コスト化をすることを目的とする。
【課題を解決するための手段】
【０００７】  前記の課題を解決するために、本発明では一つのセクションで数個同時に貼り付けを行えるよう、数個のテープ供給を一つにまとめ、貼り付けピッチ調整も本機構内で行える構成にした。
【発明の効果】
【０００８】  この構成によれば、数個のテープは独立した場所に設置する必要がなく、一箇所に集中して設置できるために、スペース効率もよく、位置合わせ機構も簡素化できるために低コスト、小スペース化ができる。
本発明に係るカバーテープ貼り付け方法によれば、従来方法である複数個のテープ張り付け機構は一つの機構に集約され、また、複数個の位置補正移動ローラーは不要となる。従って部品点数の削減、設置スペースの小型化が可能になることによりコスト削減と巻取り機自体の小型化が可能となる。
【発明を実施するための最良の形態】
【０００９】  本発明の実施の形態を図面により具体的に説明する。図８は本発明の実施の形態に係るカバーテープ貼付け位置決め方法配置図である。図８に示すように、電極板送り機構２５で材料を一定量送り、停止後テープ貼付け機構２４で貼付けを行う。貼付けの際数箇所のテープ（図説明では３枚のテープ）は電極板の任意指定場所に貼付けを行うので、位置修正移動ローラーは不要である。【００１０】  図９〜１７は本発明の実施の形態に係るカバーテープ貼付け装置に必要な各機構の動作の詳細を示す図である。テープ貼付け機構は図９に示すように、テープ送り出し軸（フープ材）１６とテープ１５．テープ貼付け部位１４、テープ送り部位１３から構成される。図１０に示すようにテープ１５はテープ送り部１８より先端が少し出た状態でテープ保持クランパー１９で抜けないようにクランプされている。まず図１１のように、テープ送り部１８が移動しテープ先端１５をテープクランパー２０まで移動させる。図１２のように、テープクランパー２０がテープ貼付け側２２に移動し、テープ先端１５をクランプする。図１３の様にテープ保持クランパー１９が開し、テープ送り部１８が戻り、テープ保持クランパー１９が再び閉じ、テープ１５を再度抜けないようにクランプする。図１４のように、貼付け２２でテープ１５を吸着し、テープカット２１でテープ１５をカットする。図１５のように、テープクランパー２０が開し、テープ１５は短冊状で貼付け２２に保持される。電極板送り機構２５で材料を一定量送り出した後停止し、図１６のように、貼り付け２２が移動し、電極板１７にテープを貼り付ける。更に、図１７のように、電極板１７の任意指定場所に貼付け２２が移動できるため、テープ貼付けピッチが変更できる構造になっている。
【図面の簡単な説明】
【００１２】
【図１】  従来のカバーテープ貼付け位置決め方法配置図。
【図２】  従来のカバーテープ貼付け装置の概略構成図。
【図３】  従来のカバーテープ貼付け装置の貼付け動作図（スタンバイ状態）
【図４】  従来のカバーテープ貼付け装置の貼付け動作図（テープ先端を電極板に貼付け、保持状態）
【図５】  従来のカバーテープ貼付け装置の貼付け動作図（テープを電極板に一定量貼付け状態）
【図６】  従来のカバーテープ貼付け装置の貼付け動作図（テープをカット状態）
【図７】  従来のカバーテープ貼付け装置の貼付け動作図（テープを電極板に全面貼付け状態、終了）
【図８】  本発明の実施の形態に係るカバーテープ貼付け位置決め方法配置図
【図９】  本発明の実施の形態に係るカバーテープ貼付け装置の概略構成図
【図１０】  本発明の実施の形態に係るカバーテープ貼付け装置の貼付け動作図（スタンバイ状態）を示す拡大図
【図１１】  本発明の実施の形態に係るカバーテープ貼付け装置の貼付け動作図（テープをテープ貼り付けに送った状態）を示す拡大図
【図１２】  本発明の実施の形態に係るカバーテープ貼付け装置の貼付け動作図（テープ先端をテープクランパーで保持状態）を示す拡大図
【図１３】  本発明の実施の形態に係るカバーテープ貼付け装置の貼付け動作図（テープ送りを戻した状態）を示す拡大図
【図１４】  本発明の実施の形態に係るカバーテープ貼付け装置の貼付け動作図（テープをカットした状態）を示す拡大図
【図１５】  本発明の実施の形態に係るカバーテープ貼付け装置の貼付け動作図（テープ先端を保持していたテープクランパーを開放した状態）を示す拡大図
【図１６】  本発明の実施の形態に係るカバーテープ貼付け装置の貼付け動作図（カットされたテープを電極板に貼付けした状態）を示す拡大図
【図１７】  本発明の実施の形態に係るカバーテープ貼付け装置の貼付け補正図（カットされたテープを電極板の位置補正を行う状態）を示す図
【符号の説明】
【００１３】  １    テープ貼付け機構
２    位置補正移動ローラー
３    電極送り機構
４    テープ
５    テープ送り出し軸（フープ材）
６    テープカッター
７    テープ保持クランパー
８    テープ送り部
９    テープ貼付けローラー
１０    テープクランパー
１１    電極板
１２    テープ貼付部位
１３    テープ送り部位
１４    テープ貼付け部位
１５    テープ
１６    テープ送り出し軸（フープ材）
１７    電極板
１８    テープ送り
１９    テープ保持クランパー
２０    テープクランパー
２１    テープカッター
２２    テープ貼付け
２３    カットされたテープ
２４    テープ貼付け機構
２５    電極送り機構
【図１】
2007165268.tif 000003
【図２】
2007165268.tif 000004
【図３】
2007165268.tif 000005
【図４】
2007165268.tif 000006
【図５】
2007165268.tif 000007
【図６】
2007165268.tif 000008
【図７】
2007165268.tif 000009
【図８】
2007165268.tif 000010
【図９】
2007165268.tif 000011
【図１０】
2007165268.tif 000012
【図１１】
2007165268.tif 000013
【図１２】
2007165268.tif 000014
【図１３】
2007165268.tif 000015
【図１４】
2007165268.tif 000016
【図１５】
2007165268.tif 000017
【図１６】
2007165268.tif 000018
【図１７】
2007165268.tif 000019